(57)【要約】【課題】標準サイズのメモリカードに対する互換性を確保するためにアダプタが装着されたメモリカードがカードスロットに対して逆向きに挿入される事態を防止すること。【解決手段】標準サイズのメモリカードよりも小型化された小型メモリカード２００を上記標準サイズのメモリカードと略同等に機能させるためのカード用アダプタ１００であって、小型メモリカード２００にアダプタ本体部を装着するための装着部と、アダプタ本体部が装着された小型メモリカード２００が挿入されるカードスロットに対する逆向きの挿入を阻止する阻止部（当接片１０５ｅ、１０６ｅ）とを具備することを特徴とする。【選択図】図６
2008310661.tif 000002
【特許請求の範囲】
【請求項１】
標準サイズのメモリカードよりも小型化された小型メモリカードを前記標準サイズのメモリカードと略同等に機能させるためのカード用アダプタであって、
前記小型メモリカードにアダプタ本体部を装着するための装着部と、前記アダプタ本体部が装着された前記小型メモリカードが挿入されるカードスロットに対する逆向きの挿入を阻止する阻止部とを具備することを特徴とするカード用アダプタ。
【請求項２】
前記阻止部は、前記小型メモリカードの厚さ方向又は幅方向に当該小型メモリカードの外形よりも突出する突出片で構成されることを特徴とする請求項１記載のカード用アダプタ。
【請求項３】
前記装着部は、前記小型メモリカードに対する装着状態をロックするロック機構と、前記ロック機構によるロックを解除するロック解除機構とを有し、前記ロック解除機構は、前記アダプタ本体部が装着された前記小型メモリカードが前記カードスロットに挿入された状態で当該カードスロット内の位置に配置されることを特徴とする請求項１又は請求項２記載のカード用アダプタ。
【請求項４】
前記ロック機構は、前記小型メモリカードに対する装着状態をロックする一対の弾性片からなり、前記ロック解除機構は、前記一対の弾性片のそれぞれに対応して設けられることを特徴とする請求項３記載のカード用アダプタ。
【請求項５】
前記ロック機構及びロック解除機構を単一の金属板から折り曲げ形成することを特徴とする請求項３又は請求項４記載のカード用アダプタ。
【請求項６】
前記装着部は、前記小型メモリカードに対する装着の際、当該小型メモリカードに形成された形状の異なる複数の凹部に挿入される複数の突出片を有することを特徴とする請求項１から請求項５のいずれかに記載のカード用アダプタ。
【発明の詳細な説明】
【技術分野】
【０００１】
本発明は、カード用アダプタに関し、特に、小型化したメモリカードを標準サイズのメモリカードに対する互換性を持たせるためのカード用アダプタに関する。
【背景技術】
【０００２】
従来、小型電子機器の小型化を促進すると共に、標準サイズのメモリカードに対する互換性を有するメモリカードが提案されている（例えば、特許文献１参照）。特許文献１に係るメモリカードにおいては、小型化したメモリカードを標準サイズのメモリカードの寸法に合わせるためにアダプタを装着することで、標準サイズのメモリカードに対する互換性を確保している。
【特許文献１】特開平７−２１０６４５号公報
【発明の開示】
【発明が解決しようとする課題】
【０００３】
しかしながら、上述したような従来のメモリカードのようにアダプタを装着する場合において、アダプタ装着後のメモリカードがカードスロットに対して逆向きに挿入されると、当該カードスロット内に配設されたコネクタのコンタクト端子を破損するなどの不具合が発生し得る。
【０００４】
本発明はかかる問題点に鑑みてなされたものであり、標準サイズのメモリカードに対する互換性を確保するためにアダプタが装着されたメモリカードがカードスロットに対して逆向きに挿入される事態を防止することができるカード用アダプタを提供することを目的とする。
【課題を解決するための手段】
【０００５】
本発明のカード用アダプタは、標準サイズのメモリカードよりも小型化された小型メモリカードを前記標準サイズのメモリカードと略同等に機能させるためのカード用アダプタであって、前記小型メモリカードにアダプタ本体部を装着するための装着部と、前記アダプタ本体部が装着された前記小型メモリカードが挿入されるカードスロットに対する逆向きの挿入を阻止する阻止部とを具備することを特徴とする。
【０００６】
上記カード用アダプタによれば、アダプタ本体部が装着された小型メモリカードがカードスロットに逆向きに挿入されるのを阻止する阻止部を備えたことから、標準サイズのメモリカードに対する互換性を確保するためにアダプタ本体部が装着された小型メモリカードがカードスロットに対して逆向きに挿入される事態を防止することが可能となる。この結果、カードスロット内に配設されたコネクタのコンタクト端子が破損するような事態を防止することが可能となる。
【０００７】
例えば、上記カード用アダプタにおいて、前記阻止部は、前記小型メモリカードの厚さ方向又は幅方向に当該小型メモリカードの外形よりも突出する突出片で構成される。この場合には、小型メモリカードの厚さ方向又は幅方向に当該小型メモリカードの外形よりも突出する突出片で阻止部が構成されることから、アダプタ本体部が装着された小型メモリカードがカードスロット内に挿入されることがないので、カードスロットに対して逆向きに挿入される事態を確実に防止することが可能となる。
【０００８】
上記カード用アダプタにおいて、前記装着部は、前記小型メモリカードに対する装着状態をロックするロック機構と、前記ロック機構によるロックを解除するロック解除機構とを有し、前記ロック解除機構は、前記アダプタ本体部が装着された前記小型メモリカードが前記カードスロットに挿入された状態で当該カードスロット内の位置に配置されることが好ましい。この場合には、ロック解除機構が、アダプタ本体部が装着された小型メモリカードがカードスロットに挿入された状態で当該カードスロット内の位置に配置されることから、カードスロットに挿入した状態でアダプタ本体部が外れるのを防止できるので、カードスロットから小型メモリカードを取り出せなくなる事態を防止することが可能となる。
【０００９】
上記カード用アダプタにおいて、例えば、前記ロック機構は、前記小型メモリカードに対する装着状態をロックする一対の弾性片からなり、前記ロック解除機構は、前記一対の弾性片のそれぞれに対応して設けられる。この場合には、一対の弾性片によって２箇所でアダプタ本体部を小型メモリカードに対する装着状態がロックされるので、アダプタ本体部が小型メモリカードから外れるのを適切に防止することが可能となる。また、ロック解除機構が一対の弾性片のそれぞれに対応して設けられているので、一対の弾性片によるロックを容易に解除することが可能となる。
【００１０】
特に、上記カード用アダプタにおいては、前記ロック機構及びロック解除機構を単一の金属板から折り曲げ形成することが好ましい。この場合には、ロック機構及びロック解除機構が単一の金属板から折り曲げ形成されることから、アダプタの部品点数を増加させることがないので、アダプタの構成を簡素化することが可能となる。
【００１１】
また、上記カード用アダプタにおいて、前記装着部は、前記小型メモリカードに形成された形状の異なる複数の凹部に挿入される複数の突出片を有するようにしても良い。この場合には、小型メモリカードに対する装着の際、小型メモリカードの形状の異なる複数の凹部に複数の突出片を挿入する必要があることから、小型メモリカードに対してアダプタ本体部が表裏逆に装着される事態を防止することが可能となる。
【発明の効果】
【００１２】
本発明によれば、アダプタ本体部が装着された小型メモリカードがカードスロットに逆向きに挿入されるのを阻止する阻止部を備えたことから、標準サイズのメモリカードに対する互換性を確保するためにアダプタ本体部が装着された小型メモリカードがカードスロットに対して逆向きに挿入される事態を防止することが可能となる。
【発明を実施するための最良の形態】
【００１３】
以下、本発明の一実施の形態について添付図面を参照して詳細に説明する。
図１は、本発明の一実施の形態に係るカード用アダプタの上面図である。図２は、本実施の形態に係るカード用アダプタの斜視図である。なお、図１及び図２においては、説明の便宜上、本実施の形態に係るカード用アダプタが装着されるメモリカードを表示している。また、図２においては、説明の便宜上、カード用アダプタの一部の構成を省略している。以下においては、図１及び図２に示す矢印で示す上方側をメモリカードの挿入方向とするものとする。
【００１４】
なお、本明細書において、本実施の形態に係るカード用アダプタが装着されるメモリカードは、例えば、電子機器の小型化の要請に対応するために標準サイズのメモリカードよりも小型化されているものである。以下においては、この小型化されたメモリカードを「小型メモリカード」と呼ぶものとする。特に、本明細書において、小型メモリカードは、カードスロットに対する挿入方向の長さが短縮されている。挿入方向と直交する方向の長さは、標準サイズのメモリカードと同一である。なお、小型メモリカードの種類については、特定の種類のメモリカードに限定されるものではなく、現在普及しているメモリカード、或いは、今後普及し得るメモリカードの全てに適用することが可能である。
【００１５】
図１及び図２に示すように、本実施の形態に係るカード用アダプタ（以下、単に「アダプタ」という）１００は、小型メモリカード２００のカードスロットに対する挿入方向の後方側端部に装着されるものである。このように小型メモリカード２００に装着することにより、当該小型メモリカード２００を標準サイズのメモリカードとして利用可能にするものである。例えば、小型メモリカードは、装置の小型化が要請される携帯端末などにおいて、アダプタ１００を装着することなく単体で使用され、標準サイズのメモリカードに対応するカードスロットが搭載されている端末装置などにおいて、アダプタ１００を装着した状態で使用される。
【００１６】
詳細について後述するように、本実施の形態に係るアダプタ１００は、小型メモリカード２００との装着部分に一対の係止部を備えている。一方、小型メモリカード２００には、これらの係止部を保持する溝部が形成されている。本実施の形態に係るアダプタ１００においては、小型メモリカード２００の溝部でアダプタ１００の係止部が保持されることにより、小型メモリカード２００に対してアダプタ１００が装着される。
【００１７】
また、本実施の形態に係るアダプタ１００には、小型メモリカード２００との装着部分に形状の異なる２つの突出片が形成されている。一方、小型メモリカード２００には、これらの突出片の形状に対応する凹部が形成されている。本実施の形態に係るアダプタ１００においては、アダプタ１００の突出片を、小型メモリカード２００の凹部に挿入することで、小型メモリカード２００に対して表裏逆にカード用アダプタ１００が装着されるのを防止している。
【００１８】
ここで、本実施の形態に係るアダプタ１００が装着される小型メモリカード２００の構成、並びに、本実施の形態に係るアダプタ１００の構成について説明する。まず、本実施の形態に係るアダプタ１００が装着される小型メモリカード２００の構成について図３を用いて説明する。図３は、本実施の形態に係るアダプタ１００が装着される小型メモリカード２００の上面図（同図（ａ））及び下面図（同図（ｂ））である。
【００１９】
上述したように、小型メモリカード２００は、その挿入方向が標準サイズのメモリカードにおける挿入方向の長さよりも短縮されている点で標準サイズのメモリカードと相違する。小型メモリカード２００に配設されるコネクタのピン差込み穴の数量や配列は、標準サイズのメモリカードと同様である。また、小型メモリカード２００を構成する材質やその構造においても、標準サイズのメモリカードと同様の材質や構造が採用される。
【００２０】
図３（ａ）に示すように、小型メモリカード２００の側方側端部には、段差部２０１が形成されている。段差部２０１は、図３（ｂ）に示すように、挿入方向に沿って小型メモリカード２００の長手方向の全体に亘って形成されている。段差部２０１は、小型メモリカード２００をカードスロットに挿入する際、例えば、カードスロットに形成されるガイドレールに対応する形状を有し、当該ガイドレールに案内されるガイド部として機能する。
【００２１】
小型メモリカード２００における挿入方向の後方側の端面には、図３（ｂ）に示すように、１対の溝部２０２ａ及び２０２ｂ、並びに、２つの凹部２０３ａ及び２０３ｂが形成されている。１対の溝部２０２ａ及び２０２ｂは、図３（ａ）に示すように、小型メモリカード２００の側方側の端部近傍の位置に形成されている。小型メモリカード２００の内部側に一定長さだけ延在する。そして、その先端部分において、側方側に広がる形状を有する収容部２０２ｃ及び２０２ｄが形成されている。凹部２０３ａ及び２０３ｂは、１対の溝部２０２ａ及び２０２ｂの内側に形成されている。凹部２０３ａ及び２０３ｂは、図３（ａ）に示すように、小型メモリカード２００の内部側に同一の長さだけ延在し、凹部２０３ａは、凹部２０３ｂよりも僅かに幅広に形成されている。
【００２２】
次に、本実施の形態に係るアダプタ１００の構成について図４及び図５を用いて説明する。図４は、本実施の形態に係るアダプタ１００の分解斜視図である。図５は、本実施の形態に係るアダプタ１００の上面図（同図（ａ））及び下面図（同図（ｂ））である。なお、図５においては、説明の便宜上、一部の構成を省略している。以下においては、図４及び図５に示す上方側を適宜「アダプタ１００の前方側」又は「前方側」と呼び、同図に示す後方側を適宜「アダプタ１００の後方側」又は「後方側」と呼ぶものとする。
【００２３】
図４に示すように、本実施の形態に係るアダプタ１００は、合成樹脂材料を成型加工することで形成されるケース１０１と、弾性を有する金属板を所定形状に打ち抜き加工し、更に折り曲げ加工することで形成される板ばね部材１０２と、合成樹脂材料を成型加工することで形成されるカバー部材１０３とから構成される。ケース１０１とカバー部材１０３とから、アダプタ本体部が構成される。ケース１０１に板ばね部材１０２を組み込んだ後、ケース１０１に対してカバー部材１０３を固定することでアダプタ１００が形成される。
【００２４】
ケース１０１は、小型メモリカード２００と略同一の厚さを有しており、その内部に板ばね部材１０２を収容可能に構成されている。ケース１０１は、アダプタ１００の前方側であって中央近傍に形成される平面部１０４と、平面部１０４の左方側の側面部に対向して配置される側壁部１０５と、平面部１０４の右方側の側面部に対向して配置される側壁部１０６と、平面部１０４の後面部に対向して配置される後壁部１０７とを備えている。
【００２５】
平面部１０４と側壁部１０５との間には、小型メモリカード２００の挿入方向に延在する第１溝部１０８が形成されている。同様に、平面部１０４と側壁部１０６との間には、小型メモリカード２００の挿入方向に延在する第２溝部１０９が形成されている。また、平面部１０４と後壁部１０７との間には、小型メモリカード２００の挿入方向と直交する方向に延在する第３溝部１１０が形成される。
【００２６】
平面部１０４は、アダプタ１００の前方側の端部が後方側の端部に比べて僅かに細く形成されている。平面部１０４の前面部には、アダプタ１００の前方側に向かって突出形成された形状の異なる２つの突出片１１１ａ及び１１１ｂが形成されている。詳細について後述するように、突出片１１１ａ及び１１１ｂは、小型メモリカード２００の凹部２０３ａ及び２０３ｂに挿入されるものである。突出片１１１ａは、突出片１１１ｂよりも僅かに幅広に形成されている。平面部１０４の上面であって前方側の端部には、僅かに上方側に突出形成された支持壁１１２が形成されている。支持壁１１２は、カバー部材１０３の前方側の側面部を支持する。
【００２７】
側壁部１０５には、その中央部にケース１０１の内側に窪む凹部１０５ａが形成されている。凹部１０５ａには、側壁部１０５の上面よりも僅かに低く形成された段差部１０５ｂが連設されている。この段差部１０５ｂには、後述する板ばね部材１０２の操作部１１３ｂが収容される。段差部１０５ｂの前方側には、連結片１０５ｃが形成されている。連結片１０５ｃは、小型メモリカード２００の側方側の後端部と連結される。連結片１０５ｃの上面には、僅かに上方側に突出形成された支持壁１０５ｄが形成されている。支持壁１０５ｄは、概してＬ字形状を有し、カバー部材１０３の前方側の端部を支持する。なお、連結片１０５ｃにおける支持壁１０５ｄの側方側の形状は、小型メモリカード２００の段差部２０１に対応する形状を有している。
【００２８】
一方、段差部１０５ｂの後方側には、当接片１０５ｅが形成されている。当接片１０５ｅは、アダプタ１００の後端部から挿入しようとした場合にカードスロットの一部、例えば、ガイドレールと当接する。当接部１０５ｅには、小型メモリカード２００の挿入方向と直交する面で構成される当接面１０５ｆが形成されている。当接面１０５ｆは、小型メモリカード２００に形成される段差部２０１と比べ、小型メモリカード２００の厚さ方向及び幅方向に突出した形状を有している。なお、側壁部１０６は、側壁部１０５と同様の構成を有するため、その説明を省略する。
【００２９】
後壁部１０７は、側壁部１０５及び側壁部１０６の当接片１０５ｅ及び当接片１０６ｅよりもアダプタ１００の後方側に配置されている。後壁部１０７の後方側の端部中央には、僅かに上方側に突出形成された摘み部１０７ａが形成されている。摘み部１０７ａは、小型メモリカード２００の挿入方向と直交する方向に延在して設けられ、カードスロットに挿入された小型メモリカード２００を取り出す際に利用されるものである。
【００３０】
第１溝部１０８は、後述する板ばね部材１０２の左方側の腕部１１３を収容する。同様に、第２溝部１０９は、後述する板ばね部材１０２の右方側の腕部１１４を収容する。第１溝部１０８及び第２溝部１０９は、アダプタ１００の後方側よりも前方側の方が僅かに大きな幅を有している。このように第１溝部１０８及び第２溝部１０９の前後で幅を変えることで、板ばね部材１０２の腕部１１３及び１１４の前方側端部を僅かに揺動可能に構成している。第３溝部１１０は、アダプタ１００の前後方向に一定の幅を有し、後述する板ばね部材１０２の連結部１１５を収容する。
【００３１】
板ばね部材１０２は、一対の腕部１１３及び１１４と、これらの腕部１１３及び１１４の後方側端部を連結する連結部１１５とを有している。腕部１１３には、アダプタ１００の前方側端部に、側方側に突出する係止部１１３ａが形成されている。係止部１１３ａは、アダプタ１００の前方側に延在する端部を、側方側に折り曲げた後に、その先端を更に内側に折り曲げることで形成される。係止部１１３ａよりも後方側には、側方側に突出する操作部１１３ｂが形成されている。操作部１１３ｂは、一定長さだけアダプタ１００の側方側に延在する片の端部を下方側に折り曲げることで形成される。
【００３２】
なお、腕部１１４は、腕部１１３と同様の構成を有するため、その説明を省略する。連結部１１５には、アダプタ１００の前方側に延在する支持片１１５ａが形成されている。支持片１１５ａは、第３溝部１１０と略同一の長さを有している。
【００３３】
このような係止部１１３ａ及び１１４ａを有する腕部１１３及び１１４は、ロック機構を構成する一対の弾性片として機能し、小型メモリカード２００に対するアダプタ本体部の装着状態をロックするものである。また、腕部１１３及び腕部１１４に形成された操作部１１３ｂ及び１１４ｂは、上記腕部１１３及び１１４によるロックを解除するロック解除機構として機能する。このように、一対の腕部１１３及び１１４によって２箇所でアダプタ本体部を小型メモリカード２００に対する装着状態がロックされるので、アダプタ本体部が小型メモリカード２００から外れるのを適切に防止することが可能となる。また、操作部１１３ｂ及び１１４ｂが一対の腕部１１３及び１１４のそれぞれに対応して設けられているので、一対の腕部１１３及び１１４によるロックを容易に解除することが可能となる。
【００３４】
また、このような一対の腕部１１３及び１１４、並びに、操作部１１３ｂ及び１１４ｂが単一の金属板から折り曲げ形成されることから、アダプタ１００の部品点数を増加させることがないので、アダプタ１００の構成を簡素化することが可能となる。
【００３５】
カバー部材１０３は、平坦な板状部材で構成される。ケース１０１の平面部１０４の上に載置され、例えば、接着材料等で接着固定される。この場合において、カバー部材１０３は、平面部１０４に形成された支持壁１１２と、側壁部１０５及び１０６に形成された支持壁１０５ｄ及び１０６ｄと、当接片１０５ｅ及び１０６ｅの内壁面と、後壁部１０７の内壁面とによってその固定位置が決定される。
【００３６】
このような構成を有するアダプタ１００を組み立てる際には、図５（ａ）に示すように、板ばね部材１０２の腕部１１３及び１１４をそれぞれ第１溝部１０８及び第２溝部１０９に配置すると共に、連結部１１５を第３溝部１１０に配置するように、板ばね部材１０２をケース１０１の内部に収容する。上述したように、板ばね部材１０２の支持片１１５ａは、第３溝部１１０と略同一の長さを有していることから、第３溝部１１０に嵌め込まれることとなる。このように支持片１１５ａが第３溝部１１０に嵌め込まれることで、ケース１０１に板ばね部材１０２が固定される。
【００３７】
このように組み立てられたアダプタ１００において、板ばね部材１０２の係止部１１３ａ及び１１４ａは、アダプタ１００の前方側に突出している。その先端部近傍は、小型メモリカード２００の溝部２０２ａ、２０２ｂの内壁面と接触して、係止部１１３ａ及び１１４ａ自体をアダプタ１００の内側に押し込む形状となっている。また、板ばね部材１０２の操作部１１３ｂ及び１１４ｂは、それぞれ段差部１０５ｂ及び１０６ｂ上に配置され、その側方側の端部がアダプタ１００の側方側の端部近傍に配置されている。なお、操作部１１３ｂ及び１１４ｂの上面は、側壁部１０５及び側壁部１０６の上面よりも低く設定されている。後述するように、アダプタ本体部が装着された小型メモリカード２００がカードスロットに挿入された状態において、操作部１１３ｂ及び１１４ｂは、カードスロットの内側の位置に配置される。
【００３８】
側壁部１０５及び１０６の当接片１０５ｅ及び１０６ｅは、図５（ｂ）に示すように、アダプタ１００の上面と略同一の高さ、並びに、アダプタ１００の側面と略同一の幅に設定されている。図３（ｂ）に示す小型メモリカード２００の端面と比べて分かるように、当接片１０５ｅ及び１０６ｅは、小型メモリカード２００の側方側端部よりも厚さ方向及び幅方向に突出した形状とされている。また、後壁部１０７の摘み部１０７ａは、アダプタ１００の上面よりも僅かに上方側に突出している。
【００３９】
次に、本実施の形態に係るアダプタ１００のアダプタ本体部を小型メモリカード２００に装着する場合、並びに、小型メモリカード２００から取り外す場合の動作について説明する。図６は、本実施の形態に係るアダプタ１００のアダプタ本体部を小型メモリカード２００に装着する過程の斜視図である。図７は、本実施の形態に係るアダプタ１００のアダプタ本体部を小型メモリカード２００に装着した後の斜視図である。なお、図６及び図７においては、説明の便宜上、小型メモリカード２００の内部を示している。
【００４０】
小型メモリカード２００に対してアダプタ本体部を装着する際には、図２に示すように、アダプタ１００の突出片１１１ａ及び１１１ｂが、それぞれ小型メモリカード２００の凹部２０３ａ及び２０３ｂに対応する位置に、小型メモリカード２００の挿入方向の後方側の位置に配置する。そして、これらの突出片１１１ａ及び１１１ｂが凹部２０３ａ及び２０３ｂに入り込むように、アダプタ本体部を小型メモリカード２００に装着する。
【００４１】
このとき、板ばね部材１０２に形成された係止部１１３ａ及び１１４ａは、それぞれ溝部２０２ａ及び２０２ｂの側方側の内壁面に接触し、アダプタ１００の内側に押し込まれる。これに伴い、板ばね部材１０２の腕部１１３及び１１４は、第１溝部１０８及び第２溝部１０９内でアダプタ１００の内側に撓む。また、腕部１１３及び１１４に形成された操作部１１３ｂ及び１１４ｂは、僅かにアダプタ１００の内側に入り込んだ状態となる。図６は、このように腕部１１３及び１１４がアダプタ１００の内側に撓んだ状態について示している。なお、図６においては、説明の便宜上、係止部１１３ａ及び１１４ｂが溝部２０２ａ及び２０２ｂにおける収容部２０２ｃ及び２０２ｄに入り込んでいない状態について示している。
【００４２】
図６に示す状態から更にアダプタ１００を押し込み、係止部１１３ａ及び１１４ａが、溝部２０２ａ及び２０２ｂの側方側の内壁面との接触から解放されると、図７に示すように、腕部１１３及び１１４の復元力によってアダプタ１００の側方側に移動し、係止部１１３ａ及び１１４ａが収容部２０２ｃ及び２０２ｄに入り込む。これにより、アダプタ本体部が小型メモリカード２００に対してロックされることとなる。これにより、小型メモリカード２００は、標準サイズのメモリカードとして利用することが可能となる。
【００４３】
一方、小型メモリカード２００からアダプタ本体部を取り外す際には、図７に示す状態から、使用者が操作部１１３ｂ及び１１４ｂを指で摘まんで腕部１１３及び１１４をアダプタ１００の内側に撓ませる。これにより、図６に示すように、係止部１１３ａ及び１１４ａが収容部２０２ｃ及び２０２ｄよりも内側に配置される。この状態で小型メモリカード２００の非挿入方向側に引き抜くことで、小型メモリカード２００からアダプタ本体部が取り外される。
【００４４】
ここで、本実施の形態に係るアダプタ１００のアダプタ本体部が装着された小型メモリカード２００とカードスロットとの関係について説明する。図８は、本実施の形態に係るアダプタ１００のアダプタ本体部が装着された小型メモリカード２００とカードスロットとの関係について説明するための図である。図８（ａ）は、図７に示す状態のアダプタ本体部が装着された小型メモリカード２００の上面図である。図８（ｂ）は、アダプタ本体部が装着された小型メモリカード２００を前面側から示す図であり、図８（ｃ）は、アダプタ本体部が装着された小型メモリカード２００を後面側から示す図である。
【００４５】
アダプタ本体部が装着された小型メモリカード２００（以下、適宜「アダプタ付きメモリカード２００」という）を適切な方向でカードスロットに挿入した場合、アダプタ付きメモリカード２００は、操作部１１３ｂ及び１１４ｂがカードスロットの内側に配置される位置まで挿入される。例えば、当接片１０５ｅ及び１０６ｅにおける当接面１０５ｆ及び１０６ｆと反対側の面近傍の位置までカードスロット内に挿入される。本実施の形態に係るアダプタ１００においては、このように、カードスロットに挿入された状態において、操作部１１３ｂ及び１１４ｂをカードスロットの内側に配置するようにすることで、カードスロットに挿入した状態でアダプタ本体部が小型メモリカード２００から外れるのを防止している。これにより、カードスロットから小型メモリカード２００を取り出せなくなる事態を防止することが可能となる。
【００４６】
そして、このようにアダプタ１００が装着された小型メモリカード２００を前方側から見ると、図８（ｂ）に示すように、側方側の上端部に段差部２０１が形成されている。これに対して、アダプタ付きメモリカード２００を後方側から見ると、当接片１０５ｅ及び１０６ｅの当接面１０５ｆ及び１０６ｆが、小型メモリカード２００の段差部２０１よりも小型メモリカード２００の厚さ方向及び幅方向に突出していることが分かる。このため、アダプタ付きメモリカード２００を、後方側、すなわち、アダプタ１００側からカードスロットに挿入しようとする場合には、カードスロットの一部（例えば、ガイドレール）と、当接面１０５ｆ及び１０６ｆとが当接するように構成されている。これにより、当該アダプタ付きメモリカード２００がカードスロットに逆向きに挿入されることがない。
【００４７】
このように本実施の形態に係るアダプタ１００においては、アダプタ本体部が装着された小型メモリカード２００がカードスロットに逆向きに挿入されるのを阻止する阻止部を備えたことから、標準サイズのメモリカードに対する互換性を確保するためにアダプタ本体部が装着された小型メモリカード２００がカードスロットに対して逆向きに挿入される事態を防止することが可能となる。
【００４８】
特に、本実施の形態に係るアダプタ１００において、上記阻止部は、小型メモリカード２００の厚さ方向又は幅方向に当該小型メモリカード２００の外形よりも突出する当接片１０５ｅ及び１０６ｅで構成される。このように当接片１０５ｅ及び１０６ｅにおいては、小型メモリカード２００の厚さ方向又は幅方向に当該小型メモリカード２００の外形よりも突出することから、カードスロット内にアダプタ本体部が装着された小型メモリカード２００がカードスロット内に挿入されることがないので、カードスロットに対して逆向きに挿入される事態を確実に防止することが可能となる。
【００４９】
また、本実施の形態に係るアダプタ１００においては、小型メモリカードに対する装着状態をロックする一対の腕部１１３及び１１４と、これらの腕部１１３及び１１４によるロックを解除する操作部１１３ｂ及び１１４ｂとを有し、この操作部１１３ｂ及び１１４ｂが、アダプタ付きメモリカード２００がカードスロットに挿入された状態で当該カードスロットの内側の位置に配置されるようにしている。これにより、カードスロットに挿入した状態でアダプタ本体部が小型メモリカード２００から外れるのを防止できるので、カードスロットから小型メモリカード２００を取り出せなくなる事態を防止することが可能となる。
【００５０】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【図面の簡単な説明】
【００５１】
【図１】本発明の一実施の形態に係るカード用アダプタの上面図である。
【図２】上記実施の形態に係るカード用アダプタの斜視図である。
【図３】上記実施の形態に係るカード用アダプタが装着される小型メモリカードの上面図（同図（ａ））及び下面図（同図（ｂ））である。
【図４】上記実施の形態に係るカード用アダプタの分解斜視図である。
【図５】上記実施の形態に係るカード用アダプタの上面図（同図（ａ））及び下面図（同図（ｂ））である。
【図６】上記実施の形態に係るカード用アダプタのアダプタ本体部を小型メモリカードに装着する過程の斜視図である。
【図７】上記実施の形態に係るカード用アダプタのアダプタ本体部を小型メモリカードに装着した後の斜視図である。
【図８】上記実施の形態に係るカード用アダプタのアダプタ本体部が装着された小型メモリカードとカードスロットとの関係について説明するための図である。
【符号の説明】
【００５２】
１００  カード用アダプタ
１０１  ケース
１０２  板ばね部材
１０３  カバー部材
１０４  平面部
１０５、１０６  側壁部
１０５ｅ、１０６ｅ  当接片
１０５ｆ、１０６ｆ  当接面
１０７  後壁部
１０８  第１溝部
１０９  第２溝部
１１０  第３溝部
１１１ａ、１１１ｂ  突出片
１１３、１１４  腕部
１１３ａ、１１４ａ  係止部
１１３ｂ、１１４ｂ  操作部
１１５  連結部
２００  小型メモリカード
２０１  段差部
２０２ａ、２０２ｂ  溝部
２０２ｃ、２０２ｄ  収容部
２０３ａ、２０３ｂ  凹部
【図１】
2008310661.tif 000003
【図２】
2008310661.tif 000004
【図３】
2008310661.tif 000005
【図４】
2008310661.tif 000006
【図５】
2008310661.tif 000007
【図６】
2008310661.tif 000008
【図７】
2008310661.tif 000009
【図８】
2008310661.tif 000010